(57)【要約】【課題】防水性を維持し、簡単な構成で無線装置の使用開始までの消費電力を少なくする。【解決手段】無線装置は、無線通信回路と、前記無線通信回路に電力を供給する電池と、制御端子を有し、前記制御端子の電位により前記電池から前記無線通信回路への電力供給を制御する半導体スイッチと、前記制御端子に接続される導体パターンを有し、前記導体パターンを不可逆的に、導通から非導通に、あるいは非導通から導通にすることで、前記半導体スイッチを介した前記電力供給をオフからオンに制御する制御回路と、前記導体パターンを不可逆的に導通から非導通に、あるいは非導通から導通にする切換部と、当該無線装置を防水するケースと、を備える。【選択図】図２
2019029944.tif 000002
【特許請求の範囲】
【請求項１】
無線装置であって、
無線通信回路と、
前記無線通信回路に電力を供給する電池と、
制御端子を有し、前記制御端子の電位により前記電池から前記無線通信回路への電力供給を制御する半導体スイッチと、
前記制御端子に接続される導体パターンを有し、前記導体パターンを不可逆的に、導通から非導通に、あるいは非導通から導通にすることで、前記半導体スイッチを介した前記電力供給をオフからオンに制御する制御回路と、
前記導体パターンを不可逆的に導通から非導通に、あるいは非導通から導通にする切換部と、
当該無線装置を防水するケースと、
を備える無線装置。
【請求項２】
請求項１に記載の無線装置であって、
前記切換部は、押し下げ方向に突き出る突起を有し、前記ケースの外部から押し下げ可能な押下部を有し、
前記制御回路は、前記押下部の押し下げ方向に前記導体パターンを有し、
前記押下部が押し下げられることで、前記突起が前記導体パターンを切断して前記導体パターンを不可逆的に非導通にする、無線装置。
【請求項３】
請求項１に記載の無線装置であって、
前記切換部は、押し下げ方向に突き出る突起を有し、前記ケースの外部から押し下げ可能な押下部を有し、
前記制御回路は、前記導体パターンとして前記押下部の押し下げ方向に、
離間して設けられる第１導体パターン及び第２導体パターンと、
前記第１導体パターンと前記第２導体パターンとの間を接続する接続状態及び接続しない非接続状態にできる導電性バネと、
を有し、
前記押下部が押し下げられる前は、前記導電性バネは、前記接続状態と前記非接続状態のうちの一方の状態であり、
前記切換部は、前記押下部が押し下げられると、前記突起が前記導電性バネの状態を、前記一方の状態から他方の状態に不可逆的に切り換える、
無線装置。
【発明の詳細な説明】
【技術分野】
【０００１】
本発明は、無線装置に関する。
【背景技術】
【０００２】
ブルートゥース（登録商標）などの通信を用いてスマートフォンと関連付けられるタグが提案されている。こうしたタグは、財布、鍵、バッグ、傘などに取り付けて、これらの物品を紛失しそうになったときにスマートフォン等に知らせたり、紛失したときにタグが取り付けられた物品の所在をスマートフォン等に知らせる（例えば非特許文献１）。タグとスマートフォンの通信ができるようにするために、タグには、無線通信回路に電力を供給する電池が搭載されている。
【先行技術文献】
【特許文献】
【０００３】
【特許文献１】特開２００１−２３７８９２号公報
【非特許文献】
【０００４】
【非特許文献１】https://mamorio.jp/
【発明の概要】
【発明が解決しようとする課題】
【０００５】
なお、特許文献１のように、ＩＣが特定のコマンドを受け付けると、回路の一部への電力の供給をオン・オフするものも提案されているが、コマンドを発行する回路は動作しており、それなりの消費電力を伴ってしまう。したがって、こうしたタグにおける電池の使用を検討すると、以下の制約条件を満たすものが求められることが分かる。
（１）タグの小型化のため、電池も小型の、例えばボタン電池などで動作することが望ましい。
（２）ボタン電池など、容量の小さい電池を利用する揚合、タグの使用開始までは、電力を無線通信回路に供給しないようにしたい。使用開始までに電力供給を継続していると、実際の使用可能期間が短くなってしまうからである。従って、使用開始までは、電量を使用しないか、ほとんど使用しないことが望ましい。
（３）電力供給の開始をスイッチによって行なうようにすると、部品点数が増加する。またタグの使用中にスイッチが誤ってオフになってしまうと、肝心の時に役に立たない。従って、オン・オフできるスイッチなどは利用できない。
（４）電池ボックスに蓋を設けて使用開始時に電池を入れるといった構成や、電池と接点の間の絶縁シートを引き抜いて給電を開始する構成などを採用すると、防水性を持たせることができない。防水性がないと、タグを、傘や自転車などに取り付けることができなくなり、利用範囲が限られてしまう。
【課題を解決するための手段】
【０００６】
上記した条件の少なくとも２つ以上を同時に満たすために、本発明は、以下の形態として実施することができる。
【０００７】
（１）本発明の一形態によれば、無線装置が提供される。この無線装置は、無線通信回路と、前記無線通信回路に電力を供給する電池と、制御端子を有し、前記制御端子の電位により前記電池から前記無線通信回路への電力供給を制御する半導体スイッチと、前記制御端子に接続される導体パターンを有し、前記導体パターンを不可逆的に、導通から非導通に、あるいは非導通から導通にすることで、前記半導体スイッチを介した前記電力供給をオフからオンに制御する制御回路と、前記導体パターンを不可逆的に導通から非導通に、あるいは非導通から導通にする切換部と、当該無線装置を防水するケースと、を備える。
この形態によれば、切換部により、導体パターンを不可逆的に、導通から非導通に、あるいは非導通から導通にすることで、半導体スイッチの制御端子の電位を変え、半導体スイッチを介した無線通信回路への電力供給をオフからオンに制御する。したがって、複雑な回路は不要であり、防水性を維持し、簡単な構成で無線装置の使用開始までの消費電力を少なくすることが可能となる。
【０００８】
（２）上記形態において、前記切換部は、押し下げ方向に突き出る突起を有し、前記ケースの外部から押し下げ可能な押下部を有し、前記制御回路は、前記押下部の押し下げ方向に前記導体パターンを有し、前記押下部が押し下げられることで、前記突起が前記導体パターンを切断して前記導体パターンを不可逆的に非導通にしてもよい。
この形態によれば、切換部は、ケースの外部から押し下げ可能な押下部と、押し下げ方向に突き出る突起とを備える簡単な構成で、導体パターンを切断して導体パターンを不可逆的に非導通にすることができる。
【０００９】
（３）上記形態において、前記切換部は、押し下げ方向に突き出る突起を有し、前記ケースの外部から押し下げ可能な押下部を有し、前記制御回路は、前記導体パターンとして前記押下部の押し下げ方向に、離間して設けられる第１導体パターン及び第２導体パターンと、前記第１導体パターンと前記第２導体パターンとの間を接続する接続状態及び接続しない非接続状態にできる導電性バネと、を有し、前記押下部が押し下げられる前は、前記導電性バネは、前記接続状態と前記非接続状態のうちの一方の状態であり、前記切換部は、前記押下部が押し下げられると、前記突起が前記導電性バネの状態を、前記一方の状態から他方の状態に不可逆的に切り換えてもよい。
この形態によれば、切換部は、ケースの外部から押し下げ可能な押下部と、押し下げ方向に突き出る突起とを備え、突起により導電性バネの状態を切り換えるので、
簡単な構成で、第１導体パターンと第２導体パターンとの間の導通、非導通を不可逆的に切り換えることができる。
【００１０】
なお、本発明は、種々の形態で実現することが可能であり、例えば、無線装置の他、無線タグ、無線装置、無線タグにおける消費電力抑制方法等の形態で実現することができる。
【図面の簡単な説明】
【００１１】
【図１】実施形態としての無線装置を備える紛失防止用タグとこのタグと通信する親機とからなる紛失予防システムの概略構成図である。
【図２】無線装置と親機の回路構成の一例である。
【図３】紛失予防システムにおけるタグの使用開始までのフローチャートである。
【図４】親機におけるアプリケーションソフトの動作フローチャートである。
【図５】切換部の具体的構成を示す説明図である。
【図６】タグの使用開始時における導体パターンが切断された状態を示す説明図である。
【図７】第２実施形態における切換部の構成を示す説明図である。
【図８】第３実施形態における切換部の構成を示す説明図である。
【図９】第４実施形態における切換部の構成を示す説明図である。
【図１０】第５実施形態における切換部の構成を示す説明図である。
【図１１】第６実施形態における無線装置の回路構成である。
【図１２】第７実施形態における切換部の構成を示す説明図である。
【図１３】第８実施形態における切換部の構成を示す説明図である。
【図１４】図１３の切換部の具体的構成を示す説明図である。
【図１５】切換部の他の構成を示す説明図である。
【発明を実施するための形態】
【００１２】
・第１実施形態：
（１）装置構成：
図１は、実施形態としての無線装置２０を備える紛失防止用タグ１０（以下「タグ１０」と呼ぶ。）とこのタグ１０と通信する親機４０とからなる紛失予防システムの概略構成図である。タグ１０は、無線装置２０と、無線装置２０を他の物品に取り付けるための取付部２３とを備える。無線装置２０は、後述する無線通信回路や電池を内蔵しており、防水ケース１１により密閉されている。本実施形態では、取付部２３は、防水ケース１１に一体に作り込まれており、無線装置２０の一部に設けられた開口部２１と、開口部２１から防水ケース１１の外縁に至る切込２２を有する。なお、取付部２３は、開口部２１を通るカラビナ、紐、結束バンドなどの無線装置２０と別体の部材で構成されていてもよい。この場合、切込２２はなくても良い。すなわち、取付部２３は、無線装置２０を他の物品に容易に取り付けられる構成を有していればよい。タグ１０は、取付部２３により、財布、鍵、バッグ、傘などの物に取り付けられる。タグ１０は、押下部１２を有する。押下部１２は、防水ケース１１の一部が変形可能とされて形成されており、無線装置２０の無線通信回路への電力供給を開始させるためのボタンとして働く。押下部１２は、タグ１０の使用者によって押される。押下部１２を用いたタグ１０の動作開始の仕組みについては、後で詳しく説明する。
【００１３】
親機４０は、タグ１０の位置を確認するための装置であり、親機４０として、例えばスマートフォンやタブレットなどの携帯機器が使用可能である。親機４０は、ディスプレイ４１を有している。ディスプレイ４１は、入力機能を有する表示装置であり、利用者への各種情報の表示や、入力に用いられる。このタグ１０を用いた紛失予防システムは、親機４０上で動作するアプリケーションソフトウエアと組み合わされて実現される。以下、この紛失予防システムの無線装置２０及び親機４０の構成及びその動作の概要について説明する。
【００１４】
図２は、無線装置２０と親機４０の回路構成の一例である。無線装置２０は、電池１００と、無線通信回路１１０と、半導体スイッチ１２０と、制御回路１３０と、を備える。本実施形態では、電池１００として、例えば、ＣＲ２０２５等のボタン電池や、ＣＰ１２４９２０等のシート状電池が使用可能である。無線通信回路１１０は、アンテナ１１１を有しており、通電が開始された後は、一定期間ごとにビーコンを発信する。無線通信回路１１０と半導体スイッチ１２０は、直列に接続されており、半導体スイッチ１２０が非導通状態（「非導通」とも呼ぶ。）では、無線通信回路１１０に電力が供給されないが、半導体スイッチ１２０が導通状態（「導通」とも呼ぶ。）になると無線通信回路１１０に電力が供給されるようになる。
【００１５】
制御回路１３０は、抵抗器１３１と、導体パターン１３３、１３２、１３４を備え、直列に接続されている。抵抗器１３１の抵抗値Ｒ１は、例えば４．７ＭΩであり、導体パターン１３２〜１３４の抵抗値は、ほぼゼロである。導体パターン１３２は、後述する切換部によって不可逆的に切断可能である。本実施形態では、半導体スイッチ１２０として、ＮｃｈのＭＯＳ電界効果型トランジスタが用いられており、ドレイン（Ｄ）が無線通信回路１１０に接続され、ソース（Ｓ）が電池１００のマイナス電極に接続され、ゲート（Ｇ）が、抵抗器１３１と導体パターン１３３との間のノードＮ２に接続されている。抵抗器１３１の電源側のノードＮ１は、抵抗器１３１と無線通信回路１１０の分岐点であり電源電位である。ノードＮ３は、半導体スイッチ１２０のソースと導体パターン１３４の分岐点であり、グランド電位である。
【００１６】
半導体スイッチ１２０の導通、非導通は、ゲート電位ＶＧＳ（ソース（ノードＮ３）に対するゲート（ノードＮ２）の電位）により決まる。ゲート電位ＶＧＳが、半導体スイッチ１２０の閾値以上の場合には、半導体スイッチ１２０は導通し、半導体スイッチ１２０の閾値未満の場合には、半導体スイッチ１２０は非導通となる。導体パターン１３２が断線していない場合、ノードＮ２の電位は、ほぼグランド電位であり、ゲート電位ＶＧＳは半導体スイッチ１２０の閾値未満であるので、半導体スイッチ１２０は非導通となる。この場合、無線通信回路１１０には電力が供給されない。一方、導体パターン１３２が断線すると、ノードＮ２の電位は、ほぼ電源電位となり、ゲート電位ＶＧＳは半導体スイッチ１２０の閾値以上となるので、半導体スイッチ１２０は導通する。この場合、無線通信回路１１０に電力が供給される。すなわち、導体パターン１３２を断線させることで、無線通信回路１１０に電力を供給できるようになる。なお、導体パターン１３２を断線しない状態では、抵抗器１３１を通り僅かな電力が消費される。
【００１７】
親機４０は、ディスプレイ４１と、ＣＰＵ４２と、無線通信回路４３と、アンテナ４４と、ＧＮＳ受信回路４５と、メモリ４６と、を備える。無線通信回路４３は、タグ１０の無線装置２０等と通信を行うための無線通信回路である。ＧＮＳ受信回路４５は、汎地球測位航法衛星システム（Global Navigation Satellite System）のＧＮＳからの電波を受信して、時刻と位置を取得する。ＣＰＵ４２は、無線通信回路４３がタグ１０の無線装置２０からからビーコンを受信したときに、ＧＮＳ受信回路４５から時刻と位置（親機４０の位置）を取得し、メモリ４６に書き込む。メモリ４６は、アプリケーションソフトウエアなどのプログラムを記憶する他、ビーコンを受信したときの時刻と位置を記憶にも用いられる。
【００１８】
図３は、紛失予防システムにおけるタグ１０の使用開始までのフローチャートである。ステップＳ１００では、タグ１０の使用者は、押下部１２を押し下げて、無線装置２０の無線通信回路１１０への電力の供給を開始させる。これにより、無線通信回路１１０は、所定期間毎にビーコンを発信する。この動作の詳細については、後述する。ステップＳ１１０では、タグ１０の使用者は、親機４０のアプリケーションソフトウエアを起動し、無線装置２０と親機４０とのペアリングを行う。使用者は、親機４０を用いて、無線装置２０のペアリング情報を親機４０に登録する。これにより、親機４０は、どのビーコンと、どのタグ１０と、が対応しているか、対応関係を判断できるようになる。ステップＳ１２０では、使用者は、タグ１０を物品に取り付ける。なお、使用者は、タグ１０を物品に取り付けるステップＳ１２０を、ステップＳ１００、Ｓ１１０の前に行っても良い。
【００１９】
図４は、親機４０におけるアプリケーションソフトの動作フローチャートである。ステップＳ２００では、使用者により、タグ紛失予防システムのアプリケーションソフトウエアが起動される。ステップＳ２１０では、親機は、タグ１０の無線装置２０からのビーコンを受信する。ステップＳ２２０では、タグ１０の無線装置２０からのビーコンを受信すると、親機４０のＣＰＵ４２は、ビーコンを受信した時刻及び親機４０の位置をメモリ４６に書き込む。時刻や位置は、ＧＮＳ受信回路４５から取得可能である。ステップＳ２３０では、親機４０のＣＰＵ４２は、タグ１０の無線装置２０からのビーコンを所定期間毎に受信できたか判断し、ビーコンを受信できなかった場合には、ステップＳ２４０に移行し、ビーコンを受信できている場合には、ステップＳ２１０に戻る。ステップＳ２４０では、親機４０のＣＰＵ４２は、ビーコンを最後に受信したときの親機４０の位置をディスプレイ４１に表示する。例えば、タグ１０と親機４０との距離が離れると、親機４０は、ビーコンを受信できなくなる場合がある。すなわち、ビーコンを受信できない場合には、タグ１０を取り付けた物品が、親機４０の近傍になく、使用者が物品を紛失あるいは見失っている可能性がある。そのため、親機４０のＣＰＵ４２はディスプレイ４１にビーコンを最後に受信したときの親機４０の位置をディスプレイ４１に表示する。このとき、親機４０のＣＰＵ４２は、音声等により、ビーコンを受信できなかったことを利用者に報知してもよい。また、親機４０のＣＰＵ４２は、メモリ４６記憶されている位置を時系列的にディスプレイ４１に表示しても良い。タグ１０を取り付けた物品は、ビーコンを最後に受信したときの親機４０の位置から、ディスプレイ４１にビーコンを最後に受信したときの親機４０の位置（現在位置）に至る経路上の近傍にある可能性が高い。利用者は、ディスプレイ４１に表示された位置の情報を手がかりとして、タグ１０を取り付けた物品を探すことができる。なお、ビーコンが受信できなくなった後、再びビーコンが受信できるように可能になった場合には、親機４０のＣＰＵ４２は、ディスプレイ４１に表示した位置を表示しないように消去しても良い。
【００２０】
（２）切換部の構成：
図５は、切換部の具体的構成を示す説明図である。図６は、タグ１０の使用開始時における導体パターン１３２が切断された状態を示す説明図である。切換部は、押下部１２と、突起１３と、基板１４と、立設部１５と、を備える。防水ケース１１の内部には、基板１４が設けられており、基板１４の上に導体パターン１３２〜１３４が形成されている。突起１３は、押下部１２の押し下げ方向において、導体パターン１３２に向かって突き出ており、先端がとがっている。基板１４と導体パターン１３２の突起１３と反対側は、立設部１５により浮いている。すなわち、防水ケース１１の外部から押下部１２が押し下げられると、図６に示すように、導体パターン１３２は切断される。
【００２１】
以上説明したように、第１実施形態によれば、防水ケース１１の外部から押下部１２が押し下げられると、導体パターン１３２が切断される。すると、導体パターン１３３から導体パターン１３４への導通が無くなり、半導体スイッチ１２０のゲート電位ＶＧＳは抵抗器１３１により電源電位まで引き上げられる。その結果、半導体スイッチ１２０が導通し、無線通信回路１１０に電力が供給される。すなわち、このような簡単な構成で、タグ１０の使用開始までは、電力を無線通信回路１１０に供給せず、その後、電力を無線通信回路１１０に供給できる。つまり、出荷から使用開始までの期間、例えば流通在庫中に電池の電力を消耗することが少なく、購入した者が使用を開始するとして行った明示的な処理後（押下部１２の押し下げ後）から無線通信回路１１０への電池の電力の供給を開始するので、タグ１０の使用期間の保証をし易い。例えば、電池１００として、ＣＲ２０２５（３Ｖ、公称容量１６５ｍＡｈ）を用い、製造から使用開始までの期間を１年間と仮定する。抵抗器１３１の抵抗値が、１．６ＭΩ以上であれば、製造から使用開始までの期間に抵抗器１３１による電力消費量を電池容量の１０％以下に抑えることができる（１．６ＭΩ＝３／（１６．５×１０−３／（２４×３６５）））。本実施形態では、抵抗器１３１として、４．７ＭΩの抵抗器を用いているため、約３年間で、電力消費量を電池容量の１０％程度に抑えることができる。そのため、使用開始後、十分な使用期間を保証できる。
【００２２】
また、導体パターン１３２の切断は不可逆的な変化であるため、導体パターン１３３から導体パターン１３４への導通が復活することはない。すなわち、無線通信回路１１０に電力が供給された後は、使用者の行為により、無線通信回路１１０への電力の供給が停止され、ビーコンの発信が停止されることは無い。すなわち、タグ１０の使用中に誤ってオフになってしまって、肝心の時に役に立たなくなることが起こらない。
【００２３】
本実施形態では、押下部１２の押し下げによる導体パターン１３２の切断は、防水ケース１１の内部で行われるため、タグ１０の防水性を損なわない。また、本実施形態では、電池１００も防水ケース１１に埋設され、交換不能としているため、防水性を高くできる。
【００２４】
・第２実施形態：
図７は、第２実施形態における切換部の構成を示す説明図である。第２実施形態では、切換部は、突起１３と、基板１４と、絶縁基板１６と、導電性バネ１３５と、を備える。基板１４は、開口１４１を有しており、第１、第２導体パターン１３３、１３４は、基板１４に、開口１４１を挟んで設けられているが、互いに接触していない。絶縁基板１６は、基板１４の突起１３と反対側に設けられており、導電性バネ１３５が設けられている。押下部１２が押し下げられる前の初期状態では、導電性バネ１３５は、突起１３側が凸となる形状を有しており、第１、第２導体パターン１３３、１３４の両方と接触し、第１、第２導体パターン１３３、１３４を電気的に導通する接続状態である。
【００２５】
押下部１２が押し下げられると、突起１３が導電性バネ１３５の凸の頂部を押し下げ、図７の破線で示すように、導電性バネ１３５の凸の向きを反転させる。その結果、導電性バネ１３５は、第１、第２導体パターン１３３、１３４と離間し、第１導体パターン１３３から第２導体パターン１３４への電気的導通が無くなり、非接続状態となる。導電性バネ１３５は、上に凸の形状と、下に凸の形状との２つの形状を安定な形状とされている。しかも、導電性バネ１３５の凸の向きを元に戻すための構成を備えていないため、導電性バネ１３５は、押下部１２が押し下げられる前の状態には戻らない。この形態においても、簡単な構成で、タグ１０の使用開始までは、電力を無線通信回路１１０に供給せず、その後、電力を無線通信回路１１０に供給できる。
【００２６】
第２実施形態では、導電性バネ１２２は、導電性の金属により構成したが、導体パターン１２３、１２４側に導電材料、例えば金属箔を貼り付けた樹脂等で形成してもよい。すなわち、樹脂製の基材とその表面の金属層により形成してもよい。
【００２７】
・第３実施形態：
図８は、第３実施形態における切換部の構成を示す説明図である。第３実施形態では、切換部は、突起１３と、基板１４と、導電性バネ１３５と、を備える。基板１４は、開口１４１を有しており、第１、第２導体パターン１３３、１３４は、基板１４の同じ面に、開口１４１を挟んで設けられているが、互いに接触していない。導電性バネ１３５の一方の端部１３６は、第２導体パターン１３４に接触した状態で固定されている。導電性バネ１３５の他方の端部１３７は、第１導体パターン１３３と接触しているが、自由に動ける自由端である。導電性バネ１３５のほぼ中央は、突起１３に向けて凸となっている。
【００２８】
押下部１２が押し下げられると、突起１３が導電性バネ１３５のほぼ中央を押し下げ、図８の破線で示すように、導電性バネ１３５の他方の端部１３７が基板１４の反対側に面に移動する。その結果、導電性バネ１３５は、第１導体パターン１３３と離間し、第１導体パターン１３３から第２導体パターン１３４への電気的導通が無くなる。なお、導電性バネ１３５の他方の端部１３７の位置を元に戻すための構成を備えていないため、導電性バネ１３５は、押下部１２が押し下げられる前の状態には戻らない。この形態においても、第１の実施形態と同様の効果を有し、簡単な構成で、タグ１０の使用開始までは、電力を無線通信回路１１０に供給せず、その後、電力を無線通信回路１１０に供給できる。
【００２９】
・第４実施形態：
図９は、第４実施形態における切換部の構成を示す説明図である。図８に示す第３実施形態との違いは、第１、第２導体パターン１３３、１３４が、基板１４の互いに反対側の面に形成されている点である。この形態においても、押下部１２が押し下げられると、突起１３が導電性バネ１３５のほぼ中央を押し下げ、図９の破線で示すように、導電性バネ１３５の他方の端部１３７が基板１４の反対側に面に移動する。この構成でも、第１の実施形態と同様の効果を有し、簡単な構成で、タグ１０の使用開始までは、電力を無線通信回路１１０に供給せず、その後、電力を無線通信回路１１０に供給できる。
【００３０】
第３、第４実施形態においても、第２実施形態と同様に、導電性バネ１３５を、樹脂製の基材とその表面の金属層により形成してもよい。
【００３１】
第３、第４実施形態では、導電性バネ１３５を押下部１２、突起１３側が凸となるようにしていたが、導電性バネ１３５は、ほぼ平坦な形状であってもよい。導電性バネ１３５の形状を、押下部１２、突起１３側が凸となる形状とすると、突起１３の大きさを小さくできる。
【００３２】
・第５実施形態：
図１０は、第５実施形態における切換部の構成を示す説明図である。第５実施形態では、切換部は、切取部２４と、導体１３８と、を備える。切取部２４は、防水ケース１１の外縁に設けられている。導体１３８は、導電性樹脂で形成されており、ノードＮ２から切取部２４の中を通り、ノードＮ３に繋がっている。
【００３３】
切取部２４が切り取られると、導体１３８も切り取られ、ノードＮ２とノードＮ３との間が非導通となり、半導体スイッチ１２０が導通し、無線通信回路１１０に電力が供給される。この形態においても、第１の実施形態と同様の効果を有し、簡単な構成で、タグ１０の使用開始までは、電力を無線通信回路１１０に供給せず、その後、電力を無線通信回路１１０に供給できる。なお、導体１３８が切り取られた場合、完全に非導通とならなくても、抵抗値が上がればよい。この場合、抵抗器１３１と、切り取られて一部残った導電性樹脂の導体１３８の抵抗分割比により半導体スイッチ１２０のゲート電位ＶＧＳが上がり閾値以上となれば半導体スイッチ１２０が導通する。
【００３４】
・第６実施形態：
図１１は、第６実施形態における無線装置２０の回路構成である。図２の無線装置２０との違いは、半導体スイッチ１２２が無線通信回路１１０の電源側に配置されていること、及び、制御回路１３０の抵抗器１３１と、導体パターン１３３、１３２、１３４の位置が、電源、グランドに対して図２と逆の関係である点である。半導体スイッチ１２２が無線通信回路１１０の電源側に配置されている場合には、半導体スイッチ１２２として、ＰｃｈのＭＯＳ電解効果型トランジスタを用いる。こうすれば、ドレイン電圧の閾値落ちを抑制できる。この形態の無線装置２０においても、第１の実施形態と同様の効果を有し、簡単な構成で、タグ１０の使用開始までは、電力を無線通信回路１１０に供給せず、その後、電力を無線通信回路１１０に供給できる。
【００３５】
・第７実施形態：
図１２は、第７実施形態における切換部の構成を示す説明図である。第７実施形態では、切換部は、ヒューズ１３９と、直結手段１４０を備える。ヒューズ１３９は、ノードＮ２とノードＮ３の間を接続するように設けられている。直結手段１４０は、抵抗器１３１と並列に設けられており、直結手段１４０とヒューズ１３９は直列に接続されている。外部より押下部１２が押し下げられると、直結手段１４０により、ノードＮ１とＮ２とが抵抗器１３１を介さずに直結する。かかる場合、電流は、抵抗器１３１を通らずに流れるため、ヒューズ１３９に大きな電流が流れ、大きな電流によりヒューズ１３９が切断される。なお、ノードＮ２と半導体スイッチ１２０のゲートとの間の抵抗器１２１は、半導体スイッチ１２０のゲートを保護するための保護抵抗器であり、省略可能である。
【００３６】
このように、切換部は、防水ケース１１の外部から押し下げ可能な押下部１２と、ヒューズ１３９と、ヒューズ１３９と直列に接続され、押下部１２が押し下げられると導通する直結手段１４０と、を有し、押下部１２が押し下げられると、ヒューズ１３９に電流が流れ、当該電流でヒューズ１３９が切断されて非導通となる。なお、押下部１２が押し下げられる前は、ヒューズ１３９は導通状態であり、電流が流れるが、抵抗器１３１によりその大きさは僅かであり、ヒューズ１３９は切れない。この形態においても、第１の実施形態と同様の効果を有し、簡単な構成で、タグ１０の使用開始までは、電力を無線通信回路１１０に供給せず、その後、電力を無線通信回路１１０に供給できる。
【００３７】
・第８実施形態：
図１３は、第８実施形態における切換部の構成を示す説明図である。図１４は、図１３の切換部の具体的構成を示す説明図である。この形態では、切換部は、突起１３と、基板１４と、絶縁基板１６と、導電性バネ１４２と、第１導体パターン１４３と、第２導体パターン１４４と、を備える。図１４に示すように、基板１４は、開口１４１を有しており、第１、第２導体パターン１４３、１４４は、基板１４に、開口１４１を挟んで設けられているが、互いに接触していない。絶縁基板１６は、基板１４の突起１３と同じ側に設けられており、導電性バネ１４２が設けられている。押下部１２が押し下げられる前の初期状態では、導電性バネ１４２は、突起１３側が凸となる形状を有しており、第１、第２導体パターン１４３、１４４のいずれとも接触していない。押下部１２が押し下げられると、突起１３が導電性バネ１４２の凸の頂部を押し下げ、図１４の破線で示すように、導電性バネ１４２の凸の向きをひっくり返す。その結果、導電性バネ１４２は、第１、第２導体パターン１４３、１４４と接触し、第１導体パターン１４３から第２導体パターン１４４への電気的に導通する。これにより、半導体スイッチ１２０は導通する。導電性バネ１４２の凸の向きを元に戻すための構成を備えていないため、導電性バネ１４２は、押下部１２が押し下げられる前の状態には戻らない。この形態においても、簡単な構成で、タグ１０の使用開始までは、電力を無線通信回路１１０に供給せず、その後、電力を無線通信回路１１０に供給できる。
【００３８】
図１４に示す第８実施形態の構成は、図７の第２実施形態の導通、非導通の関係を逆にしたものである。図８、図９に示した構成においても、導通、非導通の関係を逆にしてもよい。これらの構成の場合、押下部１２が押し下げられるまでは、電池１００の電力が消費されない。導体パターンを不可逆的に、導通から非導通にするだけではなく、逆に、非導通から導通にすることで、半導体スイッチ１２０を介した電力供給をオフからオンに制御する構成であってもよい。
【００３９】
図１５は、図１３、図１４に示した実施形態の他の構成を示す説明図である。この形態は、第８実施形態の構成に加えて、切取部１５０と、配線１５２を備える。切取部１５０は、防水ケース１１から切り取り可能に設けられている。配線１５２は、ノードＮ１から切取部１５０を通ってノードＮ２に至る導電性樹脂で形成された配線である。切取部１５０が切り取られる前は、配線１５２が導通しているため、半導体スイッチ１２０は、導通状態である。そのため、無線装置２０の検査を行うことができる。その後、切取部１５０を切り取ることで、半導体スイッチ１２０を非導通にして、電池１００の電力消費を抑制できる。なお、タグ１０の使用時には、押下部１２を押し下げることで、電力を無線通信回路１１０に供給できる。このような構成であっても、第１実施形態と同様に、簡単な構成で、タグ１０の使用開始までは、電力を無線通信回路１１０に供給せず、その後、電力を無線通信回路１１０に供給できる。
【００４０】
・他の実施形態：
上記図７〜図９に示す第２〜４の実施形態では、押下部１２を押し下げることで導電性バネ１３５の凸の向きや他方の端部１３７の位置を変えていた。導電性バネ１３５を用いる代わりに、形状記憶合金で形成された導電体で第１、第２導体パターン１３３、１３４間の導通、非導通を制御しても良い。例えば、形状記憶合金の導電体が第１、第２導体パターン１３３、１３４に接触しないように成形して低温で保管し、使用時に室温に戻すことで、形状記憶合金の導電体を第１、第２導体パターン１３３、１３４に接触させるようにしても良く、形状記憶合金の導電体が第１、第２導体パターン１３３、１３４に接触しないように成形して保管し、使用時に一時的に高温にすることで、形状記憶合金の導電体を第１、第２導体パターン１３３、１３４に接触させるようにしても良い。このような構成であっても、簡単な構成で、タグ１０の使用開始までは、電力を無線通信回路１１０に供給せず、その後、電力を無線通信回路１１０に供給できる。
【００４１】
図２、図１０、図１１に示す無線装置２０は、半導体スイッチ１２０、１２２のゲートと、ノードＮ２と、の間に抵抗器１２１を備えていないが、抵抗器１２１を備える構成であってもよい。抵抗器１２１を備えることで、半導体スイッチ１２０、１２２のゲートを、例えばサージから保護できる。
【００４２】
本発明は、上述の実施形態に限られるものではなく、その趣旨を逸脱しない範囲において種々の構成で実現することができる。例えば、発明の概要の欄に記載した各形態中の技術的特徴に対応する実施形態の技術的特徴は、上述の課題の一部又は全部を解決するために、或いは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００４３】
１０…タグ（紛失防止用タグ）
１１…防水ケース
１２…押下部
１３…突起
１４…基板
１５…立設部
１６…絶縁基板
２０…無線装置
２１…開口部
２２…切込
２３…取付部
２４…切取部
４０…親機
４１…ディスプレイ
４２…ＣＰＵ
４３…無線通信回路
４４…アンテナ
４５…ＧＮＳ受信回路
４６…メモリ
１００…電池
１１０…無線通信回路
１１１…アンテナ
１２０…半導体スイッチ
１２１…抵抗器
１２２…半導体スイッチ
１３０…制御回路
１３１…抵抗器
１３２…導体パターン
１３３…第１導体パターン
１３４…第２導体パターン
１３５…導電性バネ
１３６…端部
１３７…端部
１３８…導体
１３９…ヒューズ
１４０…直結手段
１４１…開口
１４２…導電性バネ
１４３…第１導体パターン
１４４…第２導体パターン
１５０…切取部
１５２…配線
【図１】
2019029944.tif 000003
【図２】
2019029944.tif 000004
【図３】
2019029944.tif 000005
【図４】
2019029944.tif 000006
【図５】
2019029944.tif 000007
【図６】
2019029944.tif 000008
【図７】
2019029944.tif 000009
【図８】
2019029944.tif 000010
【図９】
2019029944.tif 000011
【図１０】
2019029944.tif 000012
【図１１】
2019029944.tif 000013
【図１２】
2019029944.tif 000014
【図１３】
2019029944.tif 000015
【図１４】
2019029944.tif 000016
【図１５】
2019029944.tif 000017